(57)【要約】【課題】光ディスクを確実に保持して取り出すことができ、汚れや傷等による記録データの損失を防ぐことが可能で剛性が高いディスクカートリッジを提供する。【解決手段】ディスクカートリッジ１０の第１のハーフシェルは可動部２５を、第２のハーフシェル３０は可動部３５を有する。光ディスク１をディスクカートリッジ１０から取り出す際、可動部２５、３５の側壁２９、３９が光ディスク１の側面で押されて可動部２５、３５が矢印Ｂ、Ｃ方向に開き、光ディスク１が取り出される。【選択図】      図１
2004178761.tif 000002
【特許請求の範囲】
【請求項１】
ディスク状記録媒体を収納するディスクカートリッジにおいて、
前記記録媒体の一方の記録面をカバーし、前記一方の記録面の一部を露出させる切欠きが側縁部から中央部にかけて形成された第１のハーフシェルであって、前記記録媒体が前記ディスクカートリッジから取り出される際に前記記録媒体の側面に当接して外側に開く第１の可動部を有する第１のハーフシェルと、
この第１のハーフシェルに取り付けられ、前記記録媒体の他方の記録面をカバーし、前記他方の記録面の一部を露出させる切欠きが前記第１のハーフシェルの切欠きに対向して形成された第２ハーフシェルであって、切欠きを挟んで前記第１の可動部とは反対側の位置に前記記録媒体が前記ディスクカートリッジから取り出される際に前記記録媒体の側面に当接して外側に開く第２の稼動部を有する第２のハーフシェルと
を具備したことを特徴とするディスクカートリッジ。
【請求項２】
前記第１の可動部は前記第２ハーフシェルに係合自在であり前記記録媒体が前記ディスクカートリッジから取り出される際に前記記録媒体の側面に当接する第１の側壁を有し、前記第２の稼動部は前記第１のハーフシェルに係合自在であり前記記録媒体が前記ディスクカートリッジから取り出される際に前記記録媒体の側面に当接する第２の側壁を有することを特徴とする請求項１記載のディスクカートリッジ。
【請求項３】
前記第１の可動部はばね性を有する第１のヒンジ部を介して前記第１のハーフシェル本体に接続され、前記第２の稼動部ははね性を有する第２のヒンジ部を介して前記第２のハーフシェル本体に接続されたことを特徴とする請求項１乃至２記載のディスクカートリッジ。
【請求項４】
前記第１および第２の側壁は、前記記録媒体が前記ディスクカートリッジ内に挿入される際に前記記録媒体の側面に当接して前記第１および第２の稼動部を外側に開くためのテーパー部を有することを特徴とする請求項２記載のディスクカートリッジ。
【発明の詳細な説明】
【０００１】
【発明の属する技術分野】
本発明は、光ディスクを取り外し自在に収納するディスクカートリッジに関する。
【０００２】
【従来の技術】
データの書き換え可能な光ディスクは再生専用の光ディスクに比較して傷や汚れに対するデータ記録再生の信頼性が低い。そのため、光ディスクの記録面を保護するディスクカートリッジに光ディスクを収納し、この光ディスクが収納されたディスクカートリッジをディスクカートリッジ対応の光ディスク装置に装着する方法が用いられる。このディスクカートリッジに記録したデータをカートリッジ非対応の光ディスク装置で再生する場合には、ディスクカートリッジから光ディスクを取り出して光ディスク装置に装着する。
【０００３】
ディスクカートリッジに装着された光ディスクを取り出す際には、光ディスクの記録面に触れることなく簡単に取り出せ、かつ取り出し時に光ディスクの記録面が傷つくことを防止する構造が考えられている（例えば、特許文献１参照。）。
【０００４】
【特許文献１】
特開平７−３２０３５９号公報（第４−６頁、第１図）
【０００５】
【発明が解決しようとする課題】
しかし、上記特許文献１のカートリッジでは、ディスクの一方の面はカートリッジでカバーされるが、ディスクの他方の面はカートリッジでカバーされない構造となっている。このため、両面記録型のディスクのカートリッジとしては、記録面を大きく露出させることになり、傷がつきやすいという問題点があった。また、ディスクの記録面をカバーする部分の先端部はディスクの記録面に対して垂直方向に支持される部材がないことからカートリッジ自身の剛性が低いという問題点もあった。
【０００６】
本発明は上記課題に鑑み、簡単な構成で確実にかつ容易に保持して取り出すことができ、汚れや傷による記録データの損失を防ぐことが可能で、剛性の高いディスクカートリッジを提供することを目的とする。
【０００７】
【課題を解決するための手段】
本発明のディスクカートリッジは、記録媒体の一方の記録面をカバーし、一方の記録面の一部を露出させる切欠きが側縁部から中央部にかけて形成された第１のハーフシェルと、この第１のハーフシェルに取付けられ、記録媒体の他方の記録面をカバーし、他方の記録面の一部を露出させる切欠きが第１のハーフシェルの切欠きに対向して形成された第２ハーフシェルからなり、第１のハーフシェルは記録媒体がディスクカートリッジから取り出される際に記録媒体の側面に当接して外側に開く第１の可動部を有し、第２のハーフシェルは切欠きを挟んで第１の可動部とは反対側の位置に記録媒体がディスクカートリッジから取り出される際に記録媒体の側面に当接して外側に開く第２の稼動部を有している。
【０００８】
【発明の実施の形態】
以下、図面を参照して、本発明の実施形態を説明する。
図１は本実施形態に係わるディスクカートリッジの分解斜視図である。なお、ディスクカートリッジは厚さ約１．２ｍｍ、径８０ｍｍの両面でデータの書き換えが可能な光ディスクを収納するものとする。
【０００９】
光ディスク１を収納するディスクカートリッジ１０は光ディスク１の一方の記録面をカバーする第１のハーフシェル２０と、この第１のハーフシェル２０に取り付けられ光ディスク１の他方の記録面をカバーする第２のハーフシェル３０からなり、両ハーフシェルが組み合わされた状態では扁平なほぼ円形状となる。
【００１０】
ディスクカートリッジ１０から光ディスク１をカートリッジ１０から取り出す際の取り出し方向Ａ側の第１のハーフシェル２０の側縁部から第１のハーフシェル２０の中央部にかけては、図示せぬ光ディスク装置の光ピックアップヘッドが光ディスク１にアクセスするためのアクセス窓である切欠き２１が帯状に形成されている。切欠き２１が形成されることにより、第１のハーフシェル２０はＵ字形状となる。第２のハーフシェル３０の取り出し方向Ａ側の側縁部から第２のハーフシェル３０の中央部にかけても第１のハーフシェル２０と同様の切欠き３１が形成されており、第２のハーフシェル３０はＵ字形状となる。
【００１１】
第１のハーフシェル２０はＵ字形状における一方の腕部２２を含む本体部２３と、板ばね状のヒンジ２４を介して本体部２３に対して可動自在で一方の腕部２２と切欠き２１を挟んで位置するＵ字形状における他方の腕部となる可動部２５とから構成される。第２のハーフシェル３０も第１のハーフシェル２０と同様に、Ｕ字形状における一方の腕部３２を含む本体部３３と、板ばね状のヒンジ３４を介して本体部３３に可動自在で一方の腕部３２と切り欠き３１を挟んで位置するＵ字形状における他方の腕部となる可動部３５から構成される。
【００１２】
第１のハーフシェル２０と第２のハーフシェル３０とを組み合わせた際、第１のハーフシェル２０の腕部２２と第２のハーフシェル３０の可動部３５とは光ディスク１を挟んで対向するよう位置する。同様に、第１のハーフシェル２０の可動部２５と第２のハーフシェル３０の腕部３２も、第１のハーフシェル２０と第２のハーフシェル３０を組み合わせた際に、光ディスク１を挟んで対向するよう位置する。
【００１３】
取り出し方向Ａとは反対側の第１のハーフシェル２０の側縁部には、本体部２２と一体に第１の側壁２６が形成されている。同様に、第２のハーフシェル３０の取り出し方向Ａとは反対側の側縁部にも本体部３２と一体に第２の側壁３６が形成されている。第１のハーフシェル２０と第２のハーフシェル３０とを組み合わせた際、第１の側壁２６の上面２７が第２のハーフシェルの内面に当接し、第２の側壁３６の上面が第１のハーフシェルの内面に当接し、かつ第１の側壁２６の腕部２２側の端部２８と第２の側壁３６の腕部３２側の端部３８が当接する。この第１の側壁２６と第２の側壁３６とは光ディスク１が取り出しＡとは反対側にディスクカートリッジ１０から離脱することを防止するディスクカートリッジ１０の側壁を構成する。
【００１４】
第１のハーフシェル２０の可動部２５の切欠き２１近傍の周縁部には、可動部２５と一体に第３の側壁２９が形成されている。第２のハーフシェル３０の可動部３５の切欠き３１近傍にも、可動部３５と一体に第４の側壁３９が形成されている。第３の側壁２９の内面２９ａはユーザが光ディスク１を取り出し方向Ａ側に引いた際に光ディスク１の側面が当接し、可動部２５をヒンジ２４を介して矢印Ｂ方向に円弧状に移動するガイド部材となる。第４の側壁３９の内面もユーザが光ディスク１を取り出し方向Ａ側に引いた際に光ディスク１の側面が当接し、可動部３５をヒンジ３４を介して矢印Ｃ方向に円弧状に移動するガイド部材となる。また、第３の側壁２９の切欠き２１側の端部２９ｂはテーパーが形成されており、ユーザが光ディスク１をディスクカートリッジ１０に収納する際に、光ディスク１の側面が端部２９ｂに当接し、ヒンジ２４を介して可動部２５を矢印Ｂ方向に円弧状に移動するガイド部材となる。第４の側壁３９の切欠き３１側の端部にもテーパーが形成されており、ユーザが光ディスク１をディスクカートリッジ１０に収納する際に、光ディスク１の側面が端部３９ｂに当接し、ヒンジ３４を介して可動部３５を矢印Ｃ方向に円弧状に移動するガイド部材となる。
【００１５】
図２は図１に示す第３の側壁２９の断面図である。
第３の側壁２９の上部には第２のハーフシェル３０の腕部３２の側部の一部に係合する溝部２９ｃが形成されている。腕部３２の側部と溝部２９ｃが係合することにより、腕部３２と可動部２５とが光ディスク１の記録面に対して垂直方向に動くこと阻止する。なお、第４の側壁３９にも第２の腕部２２の側面の一部に係合する溝部が設けられている。このように、腕部３２と可動部２５が可動部２５に形成された第３の側壁２９の溝で係合し、腕部２２と可動部３５が可動部３５に形成された側壁３９の溝で係合することにより、カートリッジの剛性が大きくなる。
【００１６】
図１の第１および第２のハーフシェルにより構成されるディスクカートリッジ１０は、第１乃至第４の側壁２６、２９、３６、３９の内面で構成される内径が光ディスク１の内径よりわずかに大きく、側壁２６、２９、３６、３９の高さが光ディスク１の厚さよりもわずかに大きく形成されており、光ディスク１がディスクカートリッジ１０内で回転自在に保持される。なお、図１中において、各穴４１はディスクカートリッジ１０を図示せぬ光ディスク装置内で位置決めするために用いられる。
【００１７】
次に、本ディスクカートリッジ１０の動作を説明する。
図３はディスクカートリッジ１０内に光ディスク１を収納した状態を示す斜視図、図４は光ディスク１をディスクカートリッジ１０から取り出す途中の状態を示す斜視図である。
【００１８】
図３に示す光ディスク１をディスクカートリッジ１０に収納した状態からユーザが矢印Ａ方向に光ディスクを引くと、図４に示すように、光ディスク１の側面が第３の側壁２９の内面２９ａおよび第４の側壁３９の内面に当接し、光ディスク１の側面に沿って第３および第４の側壁２９、３９が外方向に押される。第３および第４の側壁２９、３９が外側に押されることにより、ヒンジ２４を介して可動部２５が矢印Ｂに、またヒンジ３４を介して可動部３５が矢印Ｃ方向に円弧状に移動する。この可動部２５、３５の移動により、光ディスク１がディスクカートリッジ１０から取り出される。光ディスク１の取り出しが完了すると、ヒンジ２４、３４のばね性により稼動部２５、３５が矢印Ｂ、Ｃ方向とは逆方向に移動し、可動部２５は図２の溝部２９ｃに腕部３２の一部が係合する位置まで戻る。また、可動部３５も同様に第４の側壁に形成された溝部に腕部２２の一部が係合する位置まで戻る。
【００１９】
光ディスク１をディスクカートリッジ１０に収納する際、光ディスク１の側面が第３の側壁の端部２９ｂに当接して端部２９ｂを外方向に押すと共に、光ディスク１の側面が第４の側壁の端部に当接して端部を外方向に押す。第３および第４の側壁の端部が外方向に押されることにより、可動部２５、３５が円弧状に開き、光ディスク１がディスクカートリッジ１０に収納される。
【００２０】
なお、本ディスクカートリッジは光ディスク用に限らず、光磁気記録ディスク等他のディスク状媒体に適用できる。
【００２１】
【発明の効果】
本発明によれば、ディスクの取り出しおよび収納が容易に行えると共にディスクの記録面の保護を十分に行え、剛性が高いディスクカートリッジを提供することが可能になる。
【図面の簡単な説明】
【図１】本実施形態に係るディスクカートリッジの分解斜視図。
【図２】第３の側壁の断面図。
【図３】ディスクカートリッジ内に光ディスクを収納した状態を示す斜視図。
【図４】光ディスクをディスクカートリッジから取り出す途中の状態を示す斜視図。
【符号の説明】
１    光ディスク
１０    ディスクカートリッジ
２０    第１のハーフシェル
２１、３１    切欠き
２２、３２    腕部
２３、３３    本体部
２４、３４    ヒンジ
２５、３５    可動部
２６    第１の側壁
２７    上面
２８    端部
２９    第３の側壁
３０    第２のハーフシェル
３６    第２の側壁
３９    第４の側壁
４１    穴
【図１】
2004178761.tif 000003
【図２】
2004178761.tif 000004
【図３】
2004178761.tif 000005
【図４】
2004178761.tif 000006